(57)【要約】  本発明は、着用感が改善された水眼鏡に関するものであって、水眼鏡の着用時に目が位置した空間の圧力による痛みを除去するために、目の前方に所定間隔で着用されるレンズ部と上記レンズ部の外周を覆いかぶせて使用者の皮膚に接触される緩衝部を持つ水眼鏡において、上記レンズ部の外表面と内表面とを相互連結する排気孔または緩衝部を貫通する排気孔が形成されたことを特徴とする。
2010511416.tif 000002
【特許請求の範囲】
【請求項１】
目の前方に所定間隔離隔して着用されるレンズ部と前記レンズ部の外周を覆いかぶせて使用者の皮膚に接触される緩衝部とを有する水眼鏡であって、
前記レンズ部の外表面と内表面とを相互連結したり、前記緩衝部を貫通する排気孔が形成されたことを特徴とする空気通路を取り付けて着用感が改善された水眼鏡。
【請求項２】
前記排気孔は、
前記レンズ部の上部、側面部、下部の一側、前記緩衝部の一側に１つ以上形成されることを特徴とする請求項１に記載の空気通路を取り付けて着用感が改善された水眼鏡。
【請求項３】
前記排気孔は、ジグザグ形状で折り曲げられたことを特徴とする請求項２に記載の空気通路を取り付けて着用感が改善された水眼鏡。
【請求項４】
前記排気孔は、
前記レンズ部の一側内表面に形成された内側排気孔と、
前記内側排気孔に延び、前記レンズ部の外周内部に沿って形成された延長孔と、
前記延長孔に延び、前記レンズ部の他側外表面に形成された外側排気孔と、
を含むことを特徴とする請求項２に記載の空気通路を取り付けて着用感が改善された水眼鏡。
【請求項５】
前記排気孔は、
前記レンズ部の上部外表面に形成された第１外側孔と、
前記第１外側孔に延び、前記レンズ部の外周内部に沿って中央まで形成された第１延長孔と、
前記第１延長孔に延び、前記レンズ部の内表面に形成された第１内側孔と、
前記第１延長孔と第１内側孔との間に結合され、かつ前記第１内側孔に向けて回折可能な第１バルブと、
前記レンズ部の下部外表面に形成された第２外側孔と、
前記第２外側孔に延び、前記レンズ部の外周内部に沿って中央まで形成された第２延長孔と、
前記第２延長孔に延び、前記レンズ部の内表面に形成された第２外側孔と、
前記第２延長孔と第２内側孔との間に結合され、かつ前記第２内側孔に向けて回折可能な第２バルブと、
を含むことを特徴とする請求項２に記載の空気通路を取り付けて着用感が改善された水眼鏡。
【請求項６】
前記緩衝部は、使用者の皮膚密着度を高めるために皮膚と接触される面の中央部が凹んでいる凹部が形成されることを特徴とする請求項１乃至５のうち、いずれか１つに記載の空気通路を取り付けて着用感が改善された水眼鏡。
【請求項７】
前記排気孔の直径は、水滴が浸透しないように３ｍｍ以下にすることを特徴とする請求項１乃至５のうち、いずれか１つに記載の空気通路を取り付けて着用感が改善された水眼鏡。
【請求項８】
前記排気孔の直径は、直径が１ｍｍより小さな水滴も浸透しないように１ｍｍ以下にすることを特徴とする請求項７に記載の空気通路を取り付けて着用感が改善された水眼鏡。
【発明の詳細な説明】
【技術分野】
【０００１】
本発明は着用感が改善された水眼鏡に関し、より詳しくは、水眼鏡の着用時に目が位置した空間の圧力による痛みが除去できる空気通路を取り付けて着用感が改善された水眼鏡に関する。
【背景技術】
【０００２】
水眼鏡は、水泳時に視界を確保し、目を保護するために着用する水泳用品の１つである。
【０００３】
このような水眼鏡は目の前方に所定の内部空間が形成されるようにレンズ部が折り曲げられた状態で形成される。
【０００４】
以下、添付された図８を参照しながら従来技術に従う水眼鏡を説明する。
【０００５】
図８は、従来技術に係る水眼鏡の着用状態図である。
【０００６】
図８に示すように、従来技術に係る水眼鏡１０は顔とレンズ部２０との間に緩衝部材１２がレンズ部２０に結合される。
【０００７】
使用者が水眼鏡１０を着用する時にはレンズ部２０を顔側に押して内部空間１４の圧力が外部より低くする。この際、緩衝部材１２は内部空間１４と外部との間の空気の流れを防止する封入材の役目も同時に遂行するようになる。
【０００８】
ここで、内部空間１４の圧力が低いため、目を含んだ目の周囲の皮膚が外部に突出して使用者は痛みを感じることになる。
【０００９】
このような痛みを除去するために、内部空間１４の圧力が低くならないように、レンズ部２０を顔側に弱く押すことになると、水眼鏡１０の密着力が落ちることになり、内部空間１４に水が浸透する不便さが発生する。
【００１０】
また、上記の従来の水眼鏡１０は着用時に内部の空気圧が低気圧になって目の水晶体が若干やや分厚くなる現象が生じて、これによって視力が若干撹乱される場合がある。
【００１１】
特に、選手用水眼鏡の場合は、抵抗を減らすためにシリコンパッドなどの緩衝部材がない水眼鏡を使用するが、このような場合、レンズ部を顔側により一層強く押して水眼鏡の内部の空気圧がより一層低くなるようになって、水晶体がより一層やや分厚くなり、視力の撹乱がより一層激しくなり、競技に不便であるという問題点があった。
【発明の概要】
【発明が解決しようとする課題】
【００１２】
本発明は、前述した従来技術に係る問題点を解決するために案出したものであって、水眼鏡と目との間の内部空間の圧力が低くなって痛みが発生することを防止した水眼鏡の提供を目的とする。
【００１３】
本発明の他の目的は、従来の水眼鏡着用の際、水眼鏡の内外部の圧力差により水晶体がやや分厚くなることにより発生される視力撹乱現象を除去して、正常な視力を維持しながら水泳することができる水眼鏡の提供を目的とする。
【課題を解決するための手段】
【００１４】
前述した目的を達成するために、本発明の実施形態に係る着用感が改善された水眼鏡は、目の前方に所定間隔離隔して着用されるレンズ部と上記レンズ部の外周を覆いかぶせて使用者の皮膚に接触される緩衝部とを持つ水眼鏡であって、上記レンズ部の外表面と内表面とを相互連結したり、上記緩衝部を貫通する排気孔が形成できる。
【００１５】
本発明において、上記排気孔は、上記レンズ部の上部、側面部、下部の一側、上記緩衝部の一側に１つ以上形成できる。
【００１６】
目の前方に所定間隔離隔して着用されるレンズ部と上記レンズ部の外周を覆いかぶせて使用者の皮膚に接触される緩衝部とを持つ水眼鏡であって、上記レンズ部の外表面と内表面とを相互連結する排気孔が形成できる。
【００１７】
本発明において、上記排気孔は、上記レンズ部の下部に形成できる。また、上記排気孔は、ジグザグ形状で折り曲げ可能である。
【００１８】
本発明の他の実施形態において、上記排気孔は、上記レンズ部の一側内表面に形成された内側排気孔と、上記内側排気孔に延び、上記レンズ部の外周内部に沿って形成された延長孔と、上記延長孔に延び、上記レンズ部の他側外表面に形成された外側排気孔と、を含むことができる。
【００１９】
本発明の更に他の実施形態において、上記排気孔は、上記レンズ部の上部外表面に形成された第１外側孔と、上記第１外側孔に延び、上記レンズ部の外周内部に沿って中央まで形成された第１延長孔と、上記第１延長孔に延び、上記レンズ部の内表面に形成された第１内側孔と、上記第１延長孔と第１内側孔との間に結合され、かつ上記第１内側孔に向けて回折可能な第１バルブと、上記レンズ部の下部外表面に形成された第２外側孔と、上記第２外側孔に延び、上記レンズ部の外周内部に沿って中央まで形成された第２延長孔と、上記第２延長孔に延び、上記レンズ部の内表面に形成された第２外側孔と、上記第２延長孔と第２内側孔との間に結合され、かつ上記第２内側孔に向けて回折可能な第２バルブと、を含むことができる。
【００２０】
本発明において、上記緩衝部は、使用者の皮膚密着度を高めるために皮膚と接触される面の中央部が凹んでいる凹部が形成できる。
【００２１】
また、本発明において、上記排気孔の直径は水滴が浸透しないように３ｍｍ以下にすることができる。
【００２２】
また、本発明において、上記排気孔の直径は水滴が浸透しないように１ｍｍ以下にすることができる。
【発明の効果】
【００２３】
本発明によると、レンズ部の外表面と内表面とを相互連結する排気孔または緩衝部を貫通する排気孔が形成されて、水眼鏡の内部空間の圧力が排気孔により大気圧と同一な状態に維持されて着用感が向上する。
【００２４】
また、本発明によると、排気孔がレンズ部の上部、側部、下部などの視覚に妨害されない任意の位置または緩衝部の任意の位置に形成されて水の浸透が効率の良く抑制できるようになる。
【００２５】
また、本発明によると、排気孔はジグザグ形状で折り曲げられた場合、構造的な特性にしたがい、水の浸透をより一層効率の良く抑制できるようになる。
【００２６】
また、本発明によると、内側排気孔、内側排気孔に延びる延長孔、延長孔に延びる排気孔の構造により、空気が貫通する空間が長くなり、かつ水の浸透は抑制されて、より一層効果的に着用感は改善され、かつ水の浸透は抑制できるようになる。
【００２７】
また、本発明によると、第１外側孔、第１延長孔、第１内側孔、第１バルブ、第２外側孔、第２延長孔、第２内側孔、及び第２バルブにより、多重板膜構造にしたがい、水眼鏡着用者の入出水動作中の短い瞬間にも完全に水眼鏡内の圧力が外部圧力に等しく維持できる。
【００２８】
また、本発明によると、上記緩衝部は皮膚と接触される面の中央部が凹んでいる凹部が形成されて、使用者の皮膚密着度を高められるようになる。
【００２９】
また、本発明によると、排気孔の直径は３ｍｍ以下であるので、水滴が浸透できなくなる。
【００３０】
一方、排気孔の直径が１ｍｍ以下に形成された場合は、微細な水滴の浸透も完全に除去できるようになる。
【００３１】
また、バルブ形態の水眼鏡の場合は、排気孔の直径とバルブ取付部位の直径を異なるようにすることができるところ、バルブ取付部位の直径が排気孔の直径より大きく形成される場合、バルブ取付が容易になる。
【００３２】
また、本発明によると、従来の水眼鏡着用の際、水眼鏡内外部の圧力差により水晶体がやや分厚くなることにより発生される視力撹乱現象を除去して正常な視力を維持しながら水泳することができる水眼鏡が提供できるようになる。
【００３３】
したがって、一般レジャー用のみならず、水泳競技をする専門的な選手の場合は、特に正常視力による競技運営が可能であるので、水泳成績向上にも良い効果が提供できるようになる。
【図面の簡単な説明】
【００３４】
【図１】本発明の実施形態１に係る水眼鏡の要部断面図である。
【図２】本発明の実施形態１に係る水眼鏡の着用状態図である。
【図３】本発明の実施形態２に係る水眼鏡の要部断面図である。
【図４】本発明の実施形態３に係る水眼鏡の正面図である。
【図５】本発明の実施形態４に係る水眼鏡における第１バルブが閉じた状態の正面断面図である。
【図６】本発明の実施形態４に係る水眼鏡における第２バルブが閉じた状態の正面断面図である。
【図７】本発明の実施形態５に係る水眼鏡の要部断面図である。
【図８】従来技術に係る水眼鏡の着用状態図である。
【発明を実施するための形態】
【００３５】
以下、添付された図面を参照しながら本発明の実施形態を説明する。
【００３６】
本発明を説明するに当たり、関連した公知機能または構成に対する具体的な説明が本発明の要旨を不要に曖昧にすることができると判断される場合は、その詳細な説明を省略する。また、後述する用語は本発明での機能を考慮して設定された用語であって、この用語は製品を生産する生産者の意図または慣例に従って変わることがあり、用語の定義は本明細書の全般に亘る内容に基づいて下すべきである。
【００３７】
〔実施形態１〕
添付された図１及び図２を参照しながら本発明の実施形態１に係る着用感が改善された水眼鏡を説明する。
【００３８】
図１は本発明の実施形態１に係る水眼鏡の要部断面図であり、図２は本発明の実施形態１に係る水眼鏡の着用状態図である。
【００３９】
図１に示すように、実施形態１に係る着用感が改善された水眼鏡１００（以下、別の説明がない限り、‘着用感が改善された水眼鏡’は簡略に‘水眼鏡’という）は、目の前方に所定の間隔で着用されるレンズ部１１０の内表面１１４と外表面１１６とを相互連結する排気孔１１２がレンズ部１１０の下部に形成される。未説明符号‘１２０’は緩衝部であって、使用者の皮膚と接触時に水眼鏡１００が皮膚の曲線によく対応し、衝撃などから使用者を保護するために使われる。緩衝部１２０はシリコンまたは発泡合成樹脂などで形成できる。
【００４０】
一方、本発明では、レンズ部１１０の下部に排気孔１１２を形成したが、これに限定されず、使用者の視界が妨害されない範囲のレンズ部１１０の上部、側部などの任意の位置に形成させることができる。
【００４１】
また、本発明の図面ではレンズ部１１０に排気孔１１２が形成された場合を図示したが、水眼鏡１００の緩衝部１２０を貫通するように排気孔が形成できることは勿論である。
【００４２】
緩衝部１２０に形成される排気孔も緩衝部の任意の位置に形成させることができ、該排気孔はレンズ部１１０のみに形成したり、緩衝部１２０のみに形成したり、レンズ部１１０と緩衝部１２０両方共に形成させることができるところ、必要によって任意の組合により１つ以上の排気孔１１２を形成することができる。
【００４３】
この際、排気孔１１２の直径は３ｍｍ以下のものが好ましい。よく知られたように、水滴は１ｍｍ以上の直径を有し、特に、水泳場で水が跳ねながら作られる水滴は噴霧器などにより作られる水滴より相対的に大きくて、３ｍｍ以上の場合が大部分であるから、排気孔１１２の直径は３ｍｍ以下に形成できる。
【００４４】
特に、水滴が１ｍｍ以下の直径を持つことを考慮すれば、排気孔１１２の直径は１ｍｍ以下のものが水の浸透をより一層完壁に防止できるので、より好ましい。
【００４５】
したがって、本発明に係る排気孔１１２は水滴より小さな直径で形成されて、水滴は通過できず、数乃至数十マイクロメートル（μｍ）の直径を持つ水蒸気は通過できる。これによって、目とレンズ部１１０との間の内部空間に外部の水が浸透できず、内部空間の空気と水蒸気は通過できるようになる。
【００４６】
一方、排気孔１１２を通して水が押し寄せる場合にも水眼鏡１００の内部の空気により水の浸透が塞がるようになる。これは、空き瓶を逆に水中に入れる場合、水が水の瓶の内へ浸透できないことと同一な現象を利用したものである。
【００４７】
図２に示すように、実施形態１に係る水眼鏡１００を着用すると、排気孔１１２により内部空間１０２と外部の空気が自由に移動できるので、圧力差よる目の痛みが除去できるようになる。
【００４８】
〔実施形態２〕
以下、添付された図３を参照しながら本発明の実施形態２に係る水眼鏡を説明する。
【００４９】
図３は、本発明の実施形態２に係る水眼鏡の要部断面図である。
【００５０】
図３に示すように、実施形態２に係る水眼鏡２００は実施形態１に係る水眼鏡１００に比べて排気孔２１２がジグザグ形状で形成されることを除いては、実質的に同一である。
【００５１】
実施形態２のように、排気孔２１２がジグザグ形状で形成されれば空気の移動は容易で、かつ水の浸透をより効果的に防止することができる。
【００５２】
実施形態２でもレンズ部２１０の下部に排気孔２１２が形成されたものを図示したが、実施形態１のように、レンズ部２１０の上部、側部などの任意の位置に排気孔２１２を形成することができ、緩衝部２２０の任意の位置に排気孔が形成できることが勿論である。
【００５３】
〔実施形態３〕
以下、添付された図４を参照しながら本発明の実施形態３に係る水眼鏡を説明する。
【００５４】
図４は、本発明の実施形態３に係る水眼鏡の正面図である。
【００５５】
図４に示すように、実施形態３に係る水眼鏡３００は実施形態１に係る水眼鏡１００に比べて、排気孔が内側排気孔３１２、延長孔３１３、及び外側排気孔３１４から構成されることを除いては、実質的に同一である。
【００５６】
内側排気孔３１２は、レンズ部３１０の上部内表面に形成される。
【００５７】
一方、本実施形態では内側排気孔３１２をレンズ部の上部に形成したが、これに限定されず、側部や下部に形成できることは勿論である。
【００５８】
延長孔３１３は内側排気孔３１２に延び、レンズ部３１０の外周内部に沿って形成される。
【００５９】
外側排気孔３１４は延長孔３１３に延び、レンズ部３１０の下部外表面に形成される。
【００６０】
外側排気孔３１４もレンズ部３１０の外側の任意の位置に形成させることができるが、外側排気孔３１４の場合は、水の浸透可能性を減らすために下部に位置させることが好ましい。
【００６１】
このような構成により、実施形態３に係る水眼鏡３００は水が殆ど浸透できない構造を持つことになる。
【００６２】
一方、実施形態３でも緩衝部の任意の位置に排気孔が形成できることは勿論である。
【００６３】
〔実施形態４〕
以下、添付された図５と図６を参照しながら本発明の実施形態４に係る水眼鏡を説明する。
【００６４】
図５は本発明の実施形態４に係る水眼鏡における第１バルブが閉じた状態の正面断面図であり、図６は本発明の実施形態４に係る水眼鏡における第２バルブが閉じた状態の正面断面図である。
【００６５】
図示したように、実施形態４に係る水眼鏡４００は実施形態１に係る水眼鏡１００に比べて排気孔が第１、２外側孔、第１、２延長孔、第１、２内側孔、及び第１、２バルブから構成されることを除いては、実質的に同一である。
【００６６】
第１外側孔４１２は、レンズ部４１０の上部外表面に形成される。
【００６７】
第１延長孔４１３は第１外側孔４１２に延び、レンズ部４１０の外周内部に沿って中央まで形成される。
【００６８】
第１内側孔４１５は第１延長孔４１３に延び、レンズ部の内表面に形成される。
【００６９】
第１バルブ４１４は第１延長孔４１３と第１内側孔４１５との間に結合され、かつ第１内側孔４１５に向けて回折可能である。
【００７０】
第２外側孔４１９は、レンズ部４１０の下部外表面に形成される。
【００７１】
第２延長孔４１８は第２外側孔４１９に延び、レンズ部４１０の外周内部に沿って中央まで形成される。
【００７２】
第２内側孔４１６は第２延長孔４１８に延び、レンズ部４１０の内表面に形成される。
【００７３】
第２バルブ４１７は第２延長孔４１８と第２内側孔４１６との間に結合され、かつ第２内側孔４１６に向けて回折可能である。
【００７４】
実施形態４に係る排気孔の動作を説明すると、使用者が水眼鏡４００を着用した状態で水中へ入る場合、水が第２外側孔４１９に押し寄せ、第２バルブ４１７は開放される。同時に第１バルブ４１４が閉じることになり、内部空間は一定の圧力を維持するようになる。その時の状態が図５に図示される。
【００７５】
使用者が水眼鏡４００を着用した状態で水の外へ出る場合、水が第１外側孔４１２に押し寄せ、第１バルブ４１４は開放される。同時に第２バルブ４１７が閉じることになり、内部空間は一定の圧力を維持するようになる。その時の状態が図６に図示される。
【００７６】
これによって、第１バルブ４１４または第２バルブ４１７が選択的に開放／閉じることになり、水眼鏡４００の内部の圧力は一定に維持されて着用感が良くなる。
【００７７】
一方、本発明の実施形態において、排気孔の直径は１ｍｍにすることができ、バルブ取付部位の直径はバルブ取付の容易性のために３ｍｍで形成することができる。
【００７８】
しかしながら、これに限定されず、排気孔とバルブ取付部位共に３ｍｍ以下に形成したり、微細な水滴の浸透も完全に抑制するために排気孔とバルブ取付部位共に１ｍｍ以下に取付できることは勿論である。
【００７９】
〔実施形態５〕
以下、添付された図６を参照しながら本発明の実施形態５に係る水眼鏡を説明する。
【００８０】
図６は、本発明の実施形態５に係る水眼鏡の要部断面図である。
【００８１】
図６に示すように、実施形態５に係る水眼鏡５００は実施形態１に係る水眼鏡１００に比べて、緩衝部５２０で皮膚と接触される面の中央部が凹んでいる凹部５２２が形成されることを除いては、実質的に同一である。
【００８２】
このような緩衝部５２０の構造により、実施形態５に係る水眼鏡５００は着用時に緩衝部５２０の凹部５２２が変形されながら皮膚に密着して着用感が向上することができる。
【産業上の利用可能性】
【００８３】
以上、本発明の実施形態を添付された図面を参照にして記述した。しかしながら、本発明は前述した実施形態のみに特別に限定されるのではなく、必要によって当業者により、添付された請求範囲の精神と思想内で多様な修正及び変更が可能であることに留意すべきである。
【符号の説明】
【００８４】
１０    水眼鏡
２０    レンズ部
１００    水眼鏡
１１０、２１０、３１０、４１０    レンズ部
１１２    排気孔
１２０    緩衝部
【図１】
2010511416.tif 000003
【図２】
2010511416.tif 000004
【図３】
2010511416.tif 000005
【図４】
2010511416.tif 000006
【図５】
2010511416.tif 000007
【図６】
2010511416.tif 000008
【図７】
2010511416.tif 000009
【図８】
2010511416.tif 000010
【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
目の前方に所定間隔離隔して着用されるレンズ部と前記レンズ部の外周を覆いかぶせて使用者の皮膚に接触される緩衝部とを有する水眼鏡であって、
排気孔が形成され、かつ前記排気孔は前記レンズ部の外表面と内表面とを相互貫通連結したり、前記緩衝部を貫通したり、前記レンズ部と前記緩衝部に形成され、前記レンズ部の外表面から前記レンズ部の内表面及び前記緩衝部まで貫通するように形成されることを特徴とする空気通路を取り付けて着用感が改善された水眼鏡。
【請求項２】
前記排気孔は、
前記レンズ部の一側内表面に形成された内側排気孔と、
前記内側排気孔に延び、前記レンズ部の外周から所定間隔離隔するようにレンズの内部に沿って形成された延長孔と、
前記延長孔に延び、前記レンズ部の他側外表面に形成された外側排気孔と、
を含むことを特徴とする請求項１に記載の空気通路を取り付けて着用感が改善された水眼鏡。
【請求項３】
前記排気孔は、
前記レンズ部の上部外表面に形成された第１外側孔と、
前記第１外側孔に延び、前記レンズ部の外周から所定間隔離隔するようにレンズの内部に沿って中央まで形成された第１延長孔と、
前記第１延長孔に延び、前記レンズ部の内表面に形成された第１内側孔と、
前記第１延長孔と第１内側孔との間に結合され、かつ前記第１内側孔に向けて回折可能な第１バルブと、
前記レンズ部の下部外表面に形成された第２外側孔と、
前記第２外側孔に延び、前記レンズ部の外周から所定間隔離隔するようにレンズの内部に沿って中央まで形成された第２延長孔と、
前記第２延長孔に延び、前記レンズ部の内表面に形成された第２外側孔と、
前記第２延長孔と第２内側孔との間に結合され、かつ前記第２内側孔に向けて回折可能な第２バルブと、
を含むことを特徴とする請求項１に記載の空気通路を取り付けて着用感が改善された水眼鏡。
【請求項４】
前記緩衝部は、使用者の皮膚密着度を高めるために皮膚と接触される面の中央部が凹んでいる凹部が形成されることを特徴とする請求項１乃至３のうち、いずれか１つに記載の空気通路を取り付けて着用感が改善された水眼鏡。
【請求項５】
前記排気孔の直径は、水滴が浸透しないように３ｍｍ以下にすることを特徴とする請求項１乃至３のうち、いずれか１つに記載の空気通路を取り付けて着用感が改善された水眼鏡。
【国際調査報告】
2010511416.tif 000011
2010511416.tif 000012